(57)【特許請求の範囲】
【請求項１】
装飾体を駆動する駆動装置を筐体の内部に設けた時計装置において、
当該時計装置は、操作子と、前記操作子を着脱自在に装着する第１装着部及び第２装着部とを備え、
当該時計装置の使用時には、前記第１装着部に前記操作子を装着することにより、前記操作子による当該時計装置の操作がなされるものとし、
当該時計装置の不使用時には、前記第２装着部に前記操作子を装着することにより、前記筐体に対して前記装飾体を固定することができるようにしたものであり、
前記筐体は、前記第２装着部に装着された前記操作子を露出する孔部と、前記装飾体を露呈する開口部とを備え、
前記装飾体にはフックを設けるとともに、前記筐体側にはフック係止部を設け、前記装飾体は、前記フックを前記フック係止部に係止することにより、前記第２装着部に前記操作子を装着したときの固定位置と同じ位置に仮止めされるものとし、
前記装飾体の固定は、前記第２装着部に装着された前記操作子を前記孔部から抜取って前記装飾体が前記フック及び前記フック係止部によって仮止めされた状態とし、更に前記開口部から露呈した前記装飾体を引張ると前記フックが前記フック係止部から外れて解除されるようにしたことを特徴とする時計装置。
【発明の詳細な説明】
【技術分野】
【０００１】
本発明は、装飾体を駆動する駆動装置を筐体の内部に設けた時計装置に関する。
【背景技術】
【０００２】
一般に、装飾体を駆動する駆動装置を筐体の内部に設けて、その装飾性を向上してなる時計装置が知られている。駆動装置としては、振り子機構を用いたものや、モータやソレノイドを用いたものが知られている。
【０００３】
また、この種の時計装置においては、搬送の際に生じる振動や衝撃等から駆動装置を保護すべく、筐体に対して装飾体を固定する場合がある。例えば、特許文献１には、装飾体たる振り子を固定するための構成が開示されている。
【特許文献１】特許第３６１６５９３号公報
【発明の開示】
【発明が解決しようとする課題】
【０００４】
さて、前述したように装飾体を固定した場合、時計装置の使用時には、その固定を解除する必要がある。しかし、使用者側の注意不足によると、装飾体が固定されたまま時計装置を使用してしまう可能性もある。故に、時計を提供する側としては、そのような事態を未然に防止するための工夫も必要であると考えられる。本発明は、かかる事情に鑑みてなされたものであり、その目的は、装飾体をより合理的に固定することができる時計装置を提供することである。
【課題を解決するための手段】
【０００５】
本願第１請求項に記載した発明は、装飾体を駆動する駆動装置を筐体の内部に設けた時計装置において、当該時計装置は、操作子と、前記操作子を着脱自在に装着する第１装着部及び第２装着部とを備え、当該時計装置の使用時には、前記第１装着部に前記操作子を装着することにより、前記操作子による当該時計装置の操作がなされるものとし、当該時計装置の不使用時には、前記第２装着部に前記操作子を装着することにより、前記筐体に対して前記装飾体を固定することができるようにしたものであり、前記筐体は、前記第２装着部に装着された前記操作子を露出する孔部と、前記装飾体を露呈する開口部とを備え、前記装飾体にはフックを設けるとともに、前記筐体側にはフック係止部を設け、前記装飾体は、前記フックを前記フック係止部に係止することにより、前記第２装着部に前記操作子を装着したときの固定位置と同じ位置に仮止めされるものとし、前記装飾体の固定は、前記第２装着部に装着された前記操作子を前記孔部から抜取って前記装飾体が前記フック及び前記フック係止部によって仮止めされた状態とし、更に前記開口部から露呈した前記装飾体を引張ると前記フックが前記フック係止部から外れて解除されるようにした構成の時計装置である。
【発明の効果】
【０００６】
本発明によれば、装飾体をより合理的に固定することができる。すなわち、当該時計装置の不使用時には、搬送の際に生じる振動や衝撃等から駆動装置を保護すべく、操作子を以って装飾体を固定する。装飾体を固定した場合、当該時計装置の使用時には、これを操作するために、必然的に操作子を第２装着部から第１装着部に付替える作業が必要となる。時計装置の使用者は、その付替え作業と同時に装飾体の固定の解除に注意を払うこととなる。その結果、装飾体が固定されたまま時計装置を使用してしまう事態が未然に防止される。
【発明を実施するための最良の形態】
【０００７】
以下に、本発明の実施例を図面に基づいて説明する。図１は、時計装置１を示す正面図である。図２は、時計ユニット２００を示す透視正面図である。図３は、時計ユニット２００を示す透視側面図である。図４は、装飾体４１０を固定した状態の時計ユニット２００を示す透視正面図である。図５は、装飾体４１０を示す正面図である。図６は、装飾体４１０を示す側面断面図である。図７は、装飾体４１０を固定した状態の時計装置１を示す背面図である。
【０００８】
本例の時計装置１は、装飾体４１０を駆動する駆動装置４００を筐体１００の内部に設けたアナログ時計である。この時計装置１は、筐体１００の内部に中板１１０を設け、中板１１０の裏面に時計ユニット２００を配置して構成されている。時計ユニット２００は、指針３１０を駆動するムーブメント３００、駆動装置４００、及び電池ボックス５００をプレート状の支持体２１０に装着してなるユニットである。中板１１０の正面が文字板であり、指針３１０は中板１１０の正面側において駆動される。また、中板１１０の下部には、装飾体４１０の要所を正面側に露呈する開口部１１１が設けられている。筐体１００の正面は、透明板を組付けた枠体をヒンジで固定してなる扉体１２０となっている。
【０００９】
本例の駆動装置４００は、振り子を装飾体４１０として揺動する振り子装置である。この駆動装置４００は、装飾体４１０、装飾体４１０を揺動可能に支持する軸部２１１、及び装飾体４１０付勢する振り子駆動回路４２０にて構成されている。
【００１０】
装飾体４１０は、支持体２１０に設けられたナイフエッジ状の軸部２１１に支持されて、この軸部２１１を支点として揺動する。振り子駆動回路４２０は、磁気的作用にて装飾体４１０を揺動するものであり、支持体２１０に設けられている。具体的には、装飾体４１０に設けられた磁石４１１がその近傍を通過する際に検出コイルに誘起電圧を発生し、検出コイルに誘起電圧が発生すると駆動コイルに電流が流れ、駆動コイルが磁石４１１を反発することにより装飾体を付勢する構成となっている。
【００１１】
本例の装飾体４１０は、合成樹脂製又は金属製の複数の部材を組付けてなるものであり、その要所には、磁石４１１、軸部２１１を挿通する環状部４１２、所定の重量の重り４１３、及び振り玉４１４が設けられている。尚、図中の４１５は、ムーブメント３００に装着された操作子３０１との干渉を回避するための湾曲部である。この操作子３０１は、指針３１０の位置を任意に設定するためのものである。所謂針合わせである。
【００１２】
尚、本例の装飾体４１０は、その支点となる軸部２１１よりも上の部位に磁石４１１及び重り４１３を設けてなるものである。振り子の揺動周期は、支点よりも上の部位の重量に応じて遅くなる。すなわち、ゆったりとした優雅な動きを醸し出す構成となっている。
【００１３】
次に、筐体に対して装飾体４１０を固定する方法について説明する。この時計装置１は、操作子３０１を着脱自在に装着する第１装着部３０２及び第２装着部２１２を備えている。第１装着部３０２は、ムーブメント３００の要所に設けられており、時計装置１の使用時には、第１装着部３０２に操作子３０１を装着することにより、操作子３０１による時計装置１の操作、すなわち指針３１０の位置の設定がなされるものとなっている。操作子３０１は、第１装着部３０２に対し、その基端部３０１ａを圧入又は嵌合して装着される。
【００１４】
また、第２装着部２１２は、支持体２１０の要所に設けられており、時計装置１の不使用時には、第２装着部２１２に操作子３０１を装着することにより、筐体１００に対して装飾体４１０を固定することができる構成となっている。操作子３０１は、第２装着部２１２に対し、その基端部３０１ａを圧入又は嵌合して装着される。
【００１５】
装飾体４１０は、これを揺動方向の一方に傾けるとともに、軸部２１１のエッジから離した状態で固定される。装飾体４１０には、通孔４１６及びフック４１７が設けられている。支持体２１０には、円筒ボス状の第２装着部２１２及び棒状のフック係止部２１３が設けられている。通孔４１６及びフック４１７は、重り４１３の近傍に設けられており、第２装着部２１２及びフック係止部２１３は、通孔４１６及びフック４１７に対応する部位に設けられている。装飾体４１０は、フック４１７をフック係止部２１３に係止して仮止めするとともに、操作子３０１を通孔４１６に挿通しつつ第２装着部２１２に装着される。
【００１６】
筐体１００の背面には、蓋体１０１と、第２装着部２１２に装着された操作子３０１を露出する孔部１０２とが設けられている。蓋体１０１は、フック止め又はねじ止めにて着脱可能となっており、蓋体１０１を取外すと、第１装着部３０２及び電池ボックス５００が露呈される。
【００１７】
装飾体４１０が筐体１００に対して固定された不使用時の時計装置１を使用する場合は、蓋体１０１を開けて電池ボックス５００に電池を挿入するとともに、操作子３０１を孔部１０２から抜取って第１装着部３０１に装着する。装飾体４１０は、フック４１７によってのみ係止された状態となり、扉体１２０を開けて開口部１１１から露呈した振り玉４１４を軽く引張ると、その固定が解除される。このような構成によると、時計装置１の使用者は、操作子３０１の付替え作業と同時に装飾体４１０の固定の解除に注意を払うこととなる。その結果、装飾体４１０が固定されたまま時計装置１を使用してしまう事態が未然に防止される。
【００１８】
以上説明したように、本例の時計装置によると、装飾体をより合理的に固定することができる。尚、本例における各部の構成は、特許請求の範囲に記載した技術的範囲において適宜に設計変更が可能であり、図例説明したものに限定されないことは勿論である。装飾体を駆動する駆動装置としては、本例では振り子装置を採用したが、或は、装飾体をモータやソレノイドなどにて駆動するものを採用してもよい。また、本例の操作子は、指針の位置を任意に設定するための針合わせであるが、操作子による時計装置の操作は、特に限定はしない。針合わせ以外の操作子にて装飾体を固定するように構成することも可能である。
【産業上の利用可能性】
【００１９】
本発明の時計装置は、振り子時計やからくり時計として好適に利用することが可能である。
【図面の簡単な説明】
【００２０】
【図１】本発明の実施例に係り、時計装置を示す正面図である。
【図２】本発明の実施例に係り、時計ユニットを示す透視正面図である。
【図３】本発明の実施例に係り、時計ユニットを示す透視側面図である。
【図４】本発明の実施例に係り、装飾体を固定した状態の時計ユニットを示す透視正面図である。
【図５】本発明の実施例に係り、装飾体を示す正面図である。
【図６】本発明の実施例に係り、装飾体を示す側面断面図である。
【図７】本発明の実施例に係り、装飾体を固定した状態の時計装置を示す背面図である。
【符号の説明】
【００２１】
１    時計装置
１００    筐体
１０１    蓋体
１０２    孔部
１１０    中板
１１１    開口部
１２０    扉体
２００    時計ユニット
２１０    支持体
２１１    軸部
２１２    第２装着部
２１３    フック係止部
３００    ムーブメント
３０１    操作子
３０１ａ    基端部
３０２    第１装着部
３１０    指針
４００    駆動装置
４１０    装飾体
４１１    磁石
４１２    環状部
４１３    重り
４１４    振り玉
４１５    湾曲部
４１６    通孔
４１７    フック
４２０    振り子駆動回路
５００    電池ボックス
【図１】
0005004286.tif 000002
【図２】
0005004286.tif 000003
【図３】
0005004286.tif 000004
【図４】
0005004286.tif 000005
【図５】
0005004286.tif 000006
【図６】
0005004286.tif 000007
【図７】
0005004286.tif 000008